(57)【要約】【課題】各キーのオン認識位置のための閾値を個別に変更でき、閾値を照光色で確認できるキーボード閾値変更装置及びキーボードを提供する。【解決手段】複数のキーのキートップを照光させる照光ＬＥＤ１７、キーの押下の有無を決定する閾値をキー毎に変更可能な閾値変更部２を備えるキーボード１と、キーボードに接続され、閾値を入力するマウス３８、マウスで入力された閾値を画像により出力する表示部３６を備えたコンピュータ３とを備え、閾値変更部は、マウスによりキーの閾値が変更されたとき、コンピュータからの変更されたキーの閾値に基づきキーボード内のキーの閾値を変更し、照光ＬＥＤは、閾値が変更されたキーの照光色を閾値に対応した色に変更させる。【選択図】図１
2018072913.tif 000002
【特許請求の範囲】
【請求項１】
複数のキーのキートップを照光させる照光部、前記キーの押下の有無を決定する閾値をキー毎に変更可能な閾値変更部を備えるキーボードと、
前記キーボードに接続され、前記閾値を入力する入力部、前記入力部で入力された前記閾値を画像により出力する画像出力部を備えたコンピュータと、
を備え、
前記閾値変更部は、前記入力部によりキーの閾値が変更されたとき、前記コンピュータからの変更されたキーの閾値に基づき前記キーボード内の前記キーの閾値を変更し、
前記照光部は、前記閾値が変更されたキーの照光色を前記閾値に対応した色に変更させることを特徴とするキーボード閾値変更装置。
【請求項２】
前記画像出力部は、前記入力部により前記キーの閾値が変更されたとき、前記キーの画像の色を、前記キーボードで変更された前記キーの照光色と同色で表示することを特徴とする請求項１記載のキーボード閾値変更装置。
【請求項３】
前記キーボードは、前記入力部により前記キーの閾値が変更された後に、前記キーの押下の有無を判断し、前記キーの押下が有った場合には、押下されたキーのキーコードを前記コンピュータに出力する押下判断部を備え、
前記照光部は、前記押下判断部がキーコードを前記コンピュータに出力した場合に、前記キーの照光色を前記変更された前記キーの照光色以外の色に変更することを特徴とする請求項１又は請求項２記載のキーボード閾値変更装置。
【請求項４】
前記画像出力部は、前記キーボードからの前記キーコードに基づき、前記照光部で前記変更された前記キーの照光色以外の色と同色で表示することを特徴とする請求項３記載のキーボード閾値変更装置。
【請求項５】
複数のキーのキートップを照光させる照光部と、
前記キーの押下の有無を決定する閾値をキー毎に変更可能な閾値変更部と、
を備え、
前記照光部は、前記閾値変更部により前記キーの閾値が変更されたとき、前記閾値が変更されたキーの照光色を前記閾値に対応した色に変更させることを特徴とするキーボード。
【請求項６】
前記閾値変更部により前記キーの閾値が変更されたとき、
前記キーの押下の有無を判断し、前記キーの押下が有った場合には、押下されたキーのキーコードを出力する押下判断部を備え、
前記照光部は、前記キーの照光色を前記変更された前記キーの照光色以外の色に変更することを特徴とする請求項５記載のキーボード。
【発明の詳細な説明】
【技術分野】
【０００１】
本発明は、キー群の各キーのオン認識位置のための閾値を可変できるキーボード閾値変更装置及びキーボードに関する。
【背景技術】
【０００２】
パーソナルコンピュータを用いて対戦型ゲームを行うキーボードとしては、照光機能(暗い環境でキートップが光る)を備えたキーボードが好まれている。また、ゲームプレイ中では、素早い操作が必要とされ、キーの押下ストロークを短くしたり、キー(スイッチ)のオン認識位置（キーの押下の有無を判断する閾値）を通常より上（浅く）にすることを好むプレイヤーがいる。さらに、特定キーに個別の機能を割り当てるので、キー毎にオン認識位置を異なるように設定することが望まれる。
【０００３】
特許文献１には、キーの押下の有無のオン認識位置を変更できるキースイッチを使った静電容量式キーボードが記載されている。
【先行技術文献】
【特許文献】
【０００４】
【特許文献１】特開昭６２−１４４２２０号公報
【発明の概要】
【発明が解決しようとする課題】
【０００５】
しかしながら、特許文献１では、キーボードの全てのキーについて、キーオン認識位置を一括して変更することしかできず、各キー毎にオン認識位置を変更できなかった。特許文献１の識別器(回路)を各キー毎に備えた場合、個別に変更が可能であるが、ユーザーにとって、キー数が多くてその閾値変更と、その確認が大変である。
【０００６】
そこで、本発明の目的は、各キーのオン認識位置のための閾値を個別に変更でき、しかも閾値を照光色で確認できるキーボード閾値変更装置及びキーボードを提供することにある。
【課題を解決するための手段】
【０００７】
前記目的を達成するため、本発明のキーボード閾値変更装置は、複数のキーのキートップを照光させる照光部、前記キーの押下の有無を決定する閾値をキー毎に変更可能な閾値変更部を備えるキーボードと、前記キーボードに接続され、前記閾値を入力する入力部、前記入力部で入力された前記閾値を画像により出力する画像出力部を備えたコンピュータとを備え、前記閾値変更部は、前記入力部によりキーの閾値が変更されたとき、前記コンピュータからの変更されたキーの閾値に基づき前記キーボード内の前記キーの閾値を変更し、前記照光部は、前記閾値が変更されたキーの照光色を前記閾値に対応した色に変更させることを特徴とする。
【０００８】
また、キーボードは、複数のキーのキートップを照光させる照光部と、前記キーの押下の有無を決定する閾値をキー毎に変更可能な閾値変更部とを備え、前記照光部は、前記閾値変更部により前記キーの閾値が変更されたとき、前記閾値が変更されたキーの照光色を前記閾値に対応した色に変更させることを特徴とする。
【発明の効果】
【０００９】
本発明のキーボード閾値変更装置によれば、閾値変更部は、コンピュータ内の入力部によりキーの閾値が変更されたとき、コンピュータからの変更されたキーの閾値に基づきキーボード内のキーの閾値を変更し、照光部は、閾値が変更されたキーの照光色を前記閾値に対応した色に変更させるので、各キーのオン認識位置のための閾値を個別に変更できる。また、キーボードのオン認識位置の閾値をキーボードの照光色で表示するので、どのキーがどの閾値であるかが、キーボードを見ることで確認できる。
【図面の簡単な説明】
【００１０】
【図１】本発明の実施例１のキーボードの構成ブロック図である。
【図２】実施例１のキーボードに接続されるパーソナルコンピュータの構成ブロック図である。
【図３】本発明の実施例１のキーボードのキー入力制御を示すフローチャートである。
【図４】実施例１のパーソナルコンピュータのキーボードプログラムのモード変更の状態遷移図である。
【図５】実施例１のキーのオン認識位置変更モードの処理を示すフローチャートである。
【図６】実施例１のキーボードのオン位置変更のためのプログラムの画面イメージを示す図である。
【図７】実施例１のキーボードのオン認識位置変更制御を示すフローチャートである。
【図８】本発明の実施例１の変形例のキーボードのキー入力制御を示すフローチャートである。
【図９】本発明のキーボードのキースイッチ部の詳細を示す図である。
【発明を実施するための形態】
【００１１】
以下に、本発明のキーボード閾値変更装置及びキーボードの実施例を図面を参照しながら、詳細に説明する。図１は、本発明の実施例１のキーボードの構成ブロック図である。本発明のキーボード閾値変更装置は、キーボード１と、キーボード１に接続されるパーソナルコンピュータ（ＰＣ）３から構成されている。
【００１２】
（キーボード１の構成）
キーボード１は、静電容量(アナログ値)の変化によりキーの押下の有無を判断し、キーの押下の有無を決定する閾値を変更することによりキーのオン認識位置を変更する。キーボード１は、キーボード制御部２、キー群１０、キースキャン・検出部１１、メモリ部１２Ａ、キースキャン制御部１４、キー容量検出部１５、押下判断部１６、照光ＬＥＤ１７、ＬＥＤ発光部１８、照光発光制御部１９、通信制御部２１を備えている。キーボード制御部２は、キーボード１内のメモリ部１２Ａ、キースキャン制御部１４、押下判断部１６、照光発光制御部１９、通信制御部２１を制御する。
【００１３】
キー群１０は、電気回路的に(ｍ行×ｎ列)個のキーを備えている。キー群１０の各キーは、キースイッチ部１０３で構成される。キースイッチ部１０３は、静電容量式のキースイッチ１０４と照光ＬＥＤ１７から構成される。図９は、１つのキースイッチ部１０３の構造が判る様、分解して示した図である。キースイッチ１０４は、操作者からの押下力を受けて上下動するキートップ１０５と、キートップ１０５の下部に係合されキートップ１０５と共に上下動するプランジャー１０７と、プランジャー１０７の下側に配置され、プランジャー１０７を下方から支持するラバー１０９と、プランジャー１０７およびラバー１０９の外周側に配置されたハウジング１１１と、ハウジング１１１に支持されて横方向に延在する不図示のプレートと、ラバー１０９の下側に配置されるスプリング１１７と、基板１１９とを備えている。キートップ１０５を押下するとスプリング１１７が撓み、スプリング１１７と電極１２０との間に形成される静電容量が変化することにより押下を検出する。
【００１４】
照光ＬＥＤ１７は、本発明の照光部に対応し、基板１１９に載置され、キースイッチ１０４の近傍に一体化した青色、赤色、緑色の３色ＬＥＤを配置し、キートップ１０５の文字を発光させる。なお、図１では、照光ＬＥＤ１７はＬＥＤ発光部１８に含まれる。照光発光制御部１９は、ＲＡＭ１３からの照光色参照領域の照光色参照データにより照光ＬＥＤ１７を制御する。ＬＥＤ発光部１８の実際の発行色は、青、緑、赤の３色である。
【００１５】
メモリ部１２Ａは、フラッシュメモリからなる不揮発メモリ１２と、ランダムアクセスメモリ（ＲＡＭ）１３から構成されている。不揮発メモリ１２は、閾値・照光色保存領域に、閾値データと閾値参照データと照光色参照データを予め保存している。即ち、不揮発メモリ１２は、キー群１０の(ｍ行×ｎ列)個のキーの各キー毎に、キーのオン認識位置のための閾値データを予め保存している。
【００１６】
閾値データは、キーオン認識位置の閾値であり、キー数×３(キーのストロークが浅い、中位、深いに対応する各閾値でキー押下の判断に利用）ある。閾値参照データは、３つの閾値のどれ(キーのストロークが浅い、中位、深い)を選択するかの情報である。照光色参照データは、３色(青緑赤)の色情報であり、３つの閾値に対応付けて色データ、具体的には、浅い→青色、中位→緑色、深い→赤色の色データが保存されている。不揮発メモリ１２は、起動時に、閾値・照光色保存領域から閾値データ、閾値参照データ、照光色参照データをＲＡＭ１３に転送する。
【００１７】
ＲＡＭ１３は、不揮発メモリ１２からの閾値データ(キー数×３)と閾値参照データと照光色参照データを、各々閾値編集変更領域１３ａ、閾値参照領域１３ｂ、照光色参照領域１３ｃに保存する。閾値編集変更領域１３ａは、キー数×３種の閾値が保存されている領域である。閾値参照領域１３ｂは、各キーが３つの閾値のどれを選択されているかが保存されている領域である。照光色参照領域１３ｃは、各キーが選択された閾値に対応した色データが保存されている領域である。
【００１８】
キーボード制御部（ＣＰＵ）２は、キーボード１全体を制御し、後述するキーの入力制御や、キーボード変更プログラムのオン位置変更モードまたは照光色変更モード時のキーボードの制御を総合的に行う。
【００１９】
キースキャン制御部１４は、キー群１０から該当キー番地を選択し、選択された該当キー番地に対応するメモリ番地内の閾値データをＲＡＭ１３から検出する。キースキャン・検出部１１は、キー群１０を常時、スキャンして、キースキャン制御部１４で選択されたキー番地を検出する。キー容量検出部１５は、キースキャン・検出部１１で検出されたキー番地のキーの容量を検出して押下判断部１６に出力する。さらにキースキャン制御部１４は前述の選択されたキー番地をキーボード制御部２に出力する。キーボード制御部２は、ＲＡＭ１３内の閾値参照領域１３ｂの選択されたキーがどの閾値（浅い、中位、深い）に選択されているかのデータより、それに対応した閾値を閾値編集変更領域１３ａからキーの閾値を読み出し、閾値を押下判断部１６に出力する。
【００２０】
押下判断部１６は、キー容量検出部１５からの電圧が閾値以上となった場合にはキー押下有り（キーオン）と判断し、前記電圧が前記閾値未満である場合にはキー押下無し（キーオフ）と判断し、キーの押下有無データを通信制御部２１に出力する。通信制御部２１は、ＰＣ３と通信を行うもので、周知のＵＳＢインターフェースからなる。
【００２１】
（ＰＣ３の構成）
次に、図２を参照して、ＰＣ３の構成を説明する。ＰＣ３は、通信制御部３１、ＰＣ制御部３２、ハードディスク３３、メモリ部３４、表示制御部３５、表示部３６、入力制御部３７、マウス３８を備えている。すなわち、ＰＣ３は汎用のパーソナルコンピュータであり、オペレーティングシステム（ＯＳ）は、たとえばＷＩＮＤＯＷＳ（登録商標）等のマルチタスク機能とグラフィカルユーザーインターフェース（ＧＵＩ）機能を備える。
【００２２】
ＰＣ制御部３２は、ＣＰＵからなり、ＰＣ３内の各部を制御する。通信制御部３１は、キーボード１と通信を行うＵＳＢインターフェースからなる。ハードディスク３３は、キーボードプログラム３９を保存し、ＰＣ制御部３２はキーボードプログラム３９を読み出して実行する。また、ハードディスク３３には、閾値データ、閾値参照データ、照光色参照データ等を書き込み／読み出しできる。
【００２３】
メモリ部３４は、閾値データを保存する閾値編集保存領域３４ａと、閾値参照データを保存する閾値参照領域３４ｂと、照光色参照データを保存する照光色参照領域３４ｃを有している。これらの３つの領域は、キーボードプログラム３９により常時、キーボード側のメモリ部１２Ａのそれぞれ閾値編集変更領域１３ａ、閾値参照領域１３ｂ、照光色参照領域１３ｃと同じ値となる。
【００２４】
表示制御部３５は、表示部３６を制御する。表示部３６は、本発明の画像出力部に対応し、メモリ部３４から読み出された閾値を表示したり、マウス３８により変更された閾値を表示する。ユーザーは、表示部３６の画面を見ながらキーボード１の閾値変更と変更結果の確認を行う。
【００２５】
表示部３６は、一般的にはディスプレイと呼ばれるもので、マウス３８によりキーの閾値が変更されたとき、キーの画像の色を、キーボード１で変更されたキーの照光色と同色で表示する。また、表示部３６は、キーボード１からキーコードを入力しこのキーコードに基づき、照光ＬＥＤ１７で変更されたキーの照光色以外の色と同色で表示する。
【００２６】
マウス３８は、本発明の入力部に対応し、閾値を入力したり、閾値を変更する。入力制御部３７は、マウス３８からの閾値を表示制御部３５を介して表示部３６に同時に出力する。これにより、マウス３８を操作し、表示部３６の画面を見ながら、閾値を変更することができる。マウス３８の代わりに、画面の表面に設置されたタッチパネルインターフェースにより、画面をタッチしながら閾値を入力してもよい。
【００２７】
（キーボード１の入力処理）
次に、このように構成された実施例１のキーボード及びキーボード閾値変更装置の動作を説明する。まず、図３を参照しながら、キーボード１のキー入力機能を説明する。
【００２８】
実施例１のキーボード１は、通常のキーボードと同様の機能、即ち、キー入力されると、その入力されたキーに対応したキーコードをＰＣ３へ送る機能を備える。まず、キーボード１がＰＣ３のＵＳＢポートに接続され電源が供給されると、図示しない制御プログラムにより、不揮発メモリ１２の閾値・照光色保存領域に保存されていた閾値データがＲＡＭ１３にある閾値編集変更領域１３ａにコピーされる。また、閾値参照データも閾値参照領域１３ｂに、照光色参照データも照光色参照領域１３ｃにコピーされる（ステップＳ１１）。これにより、キーボード１が使用可能状態となる。
【００２９】
次に、ｎを１にする（ステップＳ１２）。ｎはｎ番目のキーを表す。次に、キースキャン制御部１４は、キースキャン・検出部１１に対して１〜(Ｎ×Ｍ)個の内、ｎ番目のキーをスキャンするように指示を出力する。
【００３０】
キースキャン・検出部１１はｎ番目のキーをスキャンし、キー容量検出部１５は、ｎ番目のキーの静電容量(Ｃin値)を検出し、その容量値を押下判断部１６に出力する（ステップＳ１３）。押下判断部１６は、キースキャン制御部１４からの指示によりｎ番目のキーの閾値参照データ(浅中深のいずれか)より、それに対応する閾値データ（Ｃth値）をメモリ部１３の閾値編集変更領域から読み出して、押下判断部１６に出力する（ステップＳ１４）。
【００３１】
押下判断部１６は、静電容量Ｃin値と閾値データＣth値を比較して、キーの押下の有無を判断する（ステップＳ１５）。Ｃin≧Ｃthである場合には、キー押下と判断し、Ｃin＜Ｃthである場合には、キー押下なしと判断する。さらに、押下判断部１６はそのｎ番目のキーの押下の有無データをキーボード制御部２へ出力する。
【００３２】
キーボード制御部２は、押下判断部１６からのｎ番目のキーの押下の有無データの中で、押下されていると判断されたキーに相当するキーコードを生成する（ステップＳ１６）。キーコードは押下有のキーをキーコードに変換するための図示しないデータ変換テーブルを参照することにより得られる。さらに、キーコードを、通信制御部２１を経由してＰＣ３へ送信する（ステップＳ１７）。
【００３３】
さらに、ｎを１だけインクリメントし（ステップＳ１８）、ｎが（Ｎ×Ｍ）以下であるｎが（Ｎ×Ｍ）以下であるかどうかを判断し（ステップＳ１９）、ｎが（Ｎ×Ｍ）以下である場合には、ステップＳ１３の処理に戻り、ステップＳ１３以降の処理を繰り返す。また、ｎが（Ｎ×Ｍ）を超えた場合には、ｎを１にして（ステップＳ２０）、ステップＳ１３の処理に戻り、ステップＳ１３以降の処理を繰り返す。
【００３４】
なお、以上の処理は、以降に述べる制御（ON位置設定モード）等が実施されている時も、マルチタスク機能により同時並行して行われる。
【００３５】
このように、実施例１のキーボードによれば、複数のキーの各キー毎に、キーの押下の有無を決定するための閾値データを設定し、押下判断部１６が静電容量Ｃin値と閾値データＣth値を比較して、キーの押下の有無を判断する。即ち、キーの押下の有無を判断し、キーの押下の有無を決定する閾値を変えることによりキーのオン認識位置を変更することができる。
【００３６】
（ＰＣ３のキーボードプログラムの処理）
次に、ＰＣ３内のキーボードプログラム３９の処理について説明する。ＰＣ制御部３２は、ハードディスク３３に保存されたキーボードプログラム３９をメモリ部３４に読み出し実行する。キーボードプログラム３９は、ＷＩＮＤＯＷＳ（登録商標）用ソフトで、ＧＵＩを利用し、ユーザーが表示部３６を見ながらマウス３８を操作しキーボード１の閾値等を変更することが可能である。
【００３７】
プログラム３９は、図４に示すように、照光色変更モードとオン位置変更モードの少なくとも２つのモードを持ち、いずれかのモードがマウス３８のクリック操作により選択される。マウス３８で、図６に示す画面上のオン位置変更４０をクリックすることにより、オン位置変更モードに遷移する。また、マウス３８で、図６に示す画面上の照光色変更４１をクリックすることにより、照光色変更モードに遷移する。照光色変更モードはキーボード１を通常に使用時、キートップ１０５の照光色をキーごとに変更できるモードである。ここでは、本発明の特徴となるオン位置変更モードについて主に説明する。
【００３８】
オン位置変更モードが選択されると、ＰＣ制御部３２は、通信制御部３１を経由してキーボード１のＲＡＭ１３内の閾値編集変更領域１３ａに保存されている閾値データと、閾値参照領域１３ｂの閾値参照データと、照光色参照領域１３ｃの照光色参照データを、ＰＣ３内のメモリ部３４の各々閾値編集変更領域３４ａ、閾値参照領域３４ｂ、照光色参照領域３４ｃに転送してコピーする。さらに、メモリ部３４の閾値参照データと照光色参照データとを参照することにより、閾値（浅中深）に対応する色データ（青緑赤）を読み出して、図６に示すように、例えば閾値が浅いは青色（Ｂ）、中位は緑（Ｇ）、深いは赤色（Ｒ）でその閾値を画面に表示する（ステップＳ３１）。
【００３９】
まず、キーボードプログラム３９のオン位置変更モードが選択される。このとき、ユーザーは表示部３６の画面を見ながらマウス３８でオン位置変更４０をクリックすると、画面上には変更されるキーボード１と同様のイメージが図６に示すように表示される。
【００４０】
また、オン位置変更モードでは、閾値はユーザーが容易に操作しやすいように、マウス３８で浅中深の３段階の閾値を選択可能とする。例えば、キーストローク全４．０ｍｍに対して、閾値が通常値の２．２ｍｍと、それより浅い１．５ｍｍ、それより深い３．０ｍｍが選択可能になる。
【００４１】
オン位置変更モード時、ユーザーは表示部３６の画面を見ながら、まず変更したい閾値の値（浅(１．５ｍｍ)、中(２．２ｍｍ)、深(３．０ｍｍ）を画面内の選択ボタンをマウス３８で選択する（ステップＳ３２）。マウス３８で閾値が選択されると、ＰＣ３内の閾値が浅、中、深のいずれかの値に設定される（ステップＳ３３）。
【００４２】
次に、画面上の図６に示すキーボードイメージの、設定したいキー１０５ａにマウスポインタを移動させ、マウス３８でクリックさせると（ステップＳ３４）、そのキーが先に選択した値(浅中深のいずれか)に変更される（ソフト上で変更される）。即ち、クリックされた時、ＰＣ３のメモリ部３４内の閾値参照領域３４ｂの指定されたキーの閾値参照データがＰＣ内の閾値に変更される（ステップＳ３５）。
【００４３】
また、同時に画面上のそのキーの色が上述の対応した色に変更される。即ち、変更された閾値参照領域３４ｂの閾値参照データに対応する照光色参照領域３４ｃの照光色参照データ(色データ)が、表示制御部３５に送られ画面上の色が変更される。これにより、ユーザーはソフトウェア上（ＰＣ内）で閾値が変更されたことを認識できる。
【００４４】
さらに、この情報（キーの識別情報(どのキーか)と変更値(浅中深の値)）は、通信制御部３１を経由してキーボード１に送られる（ステップＳ３６）。即ち、ユーザーはキーボード１に閾値の変更を決定する特別な操作を行うことなく、キーをクリックするのみでキーの変更が行われる。
【００４５】
さらに、クリックされたキーの色を変更された閾値の色に変更するために、閾値参照データから照光色参照データを参照する（ステップＳ３７）。照光色参照データの色を画面上のキーに表示する（ステップＳ３８）。
【００４６】
他に変更したいキーがある場合には、さらにそのキーをクリックすることにより、以前選択した値で閾値を変更できる。また、選択ボタンから別の閾値を選択し、変更したいキーをクリックすることにより、そのキーがその閾値に変更される。
【００４７】
さらに、オン認識位置変更モード時、ＰＣ３は、キーボード１よりキーコードが送信された場合、そのコードに相当する画面上のキーの色を、前述の色以外の色（例えば白色）に変更し、表示部３６は、そのコードに相当する画面上のキーの色を、前述の色以外の色（例えば白色）で表示する。なお本処理は図５には示していない。
【００４８】
オン認識位置変更が終了した場合（ステップＳ３９のＹＥＳ）、全ての変更をハードディスク等にファイル保存して（ステップＳ４０、Ｓ４１）終了する。ただし、保存は任意となる。次回、キーボードプログラムの実行時には、キーボード１から設定値が転送されて開始する。
【００４９】
（オン認識位置変更モード時のキーボード１の処理）
次に、オン位置変更モード時のキーボード１の処理について図７に示すフローチャートを参照しながら説明する。ＰＣ３がキーボードプログラム３９のオン位置変更モード時、キーボード１は、以下の処理を行う。
【００５０】
但し、処理が行われている間も、キーボード１の入力処理はマルチタスク機能により同時に処理される。キーボード１の起動時には、不揮発メモリ１２に保存されていた閾値データと閾値参照データと照光色参照データがＲＡＭ１３上にある閾値編集変更領域１３ａと閾値参照領域１３ｂと照光色参照領域１３ｃにコピーされる（ステップＳ５１）。
【００５１】
次に、ＰＣ３のキーボードプログラム３９が実行されると（ステップＳ５２）、キーボード制御部２は、ＰＣ３からの要求により、キーボード１の閾値編集変更領域１３ａに保存されている閾値データと、閾値参照領域１３ｂの閾値参照データと、照光色参照領域１３ｃの照光色参照データの全てを、通信制御部２１を経由してＰＣ３の閾値編集変更領域３４ａ、閾値参照領域３４ｂ、照光色参照領域３４ｃに送る（ステップＳ５３）。
【００５２】
さらに、キーボードプログラム３９が、他のモードからオン位置変更モードに変更され、ＰＣ３から通信制御部２１を経由して、閾値変更の変更情報（キーの識別情報と変更値）が来た場合（ステップＳ５４のＹＥＳ）、キーボード制御部２は、その変更情報により、ＲＡＭ１３内の閾値参照データを変更する（ステップＳ５５）。閾値参照データが保存されると新たな閾値として変更され、キーの押下の有無の判断に使用される。
【００５３】
即ち、ＰＣ３で閾値の変更、つまり画面をマウスでクリックされると、直ちにキーボード１に閾値の変更が反映される。キーボード制御部２は、閾値参照データを変更し、それに伴い照光色参照領域の照光色参照データも参照するデータを変更する（ステップＳ５６）。このため、キートップ１０５の照光の色が変更される。これにより、どのキーがどの閾値に変更されたか、キーボード１を見ればわかる。
【００５４】
さらに、キーボード制御部２は、照光色参照領域の照光色参照データによりＰＣ３で設定された色と同色の色データ（浅→青、中→緑、深→赤）で照光ＬＥＤ１７が発光するように、照光発光制御部１９を制御する。照光発光制御部１９は、閾値参照データ(各キーの閾値の値)に基づき、照光色参照データ(色データ)を参照してＬＥＤ発光部１８に対して発光を制御する。
【００５５】
照光ＬＥＤ１７は、青、緑、赤のいずれかの色で発光する（ステップＳ５７）。即ち、キー毎に設置された３色の照光ＬＥＤ１７によりキートップの文字を光らせることができる。これにより、どのキーがどの閾値に(現在)設定されているか、キーボード１のキーを見ればわかる。
【００５６】
さらに、変更された閾値参照データと照光色参照データは、ＲＡＭ１３に保存されているので、電源が遮断されると消えてしまう。次回、起動時もこの状態で再現したい場合は、ＰＣ３のプログラムの機能(コマンド)により、不揮発メモリ１２に保存され（図５のステップＳ４１参照）、次回の起動時に復活される（図３のステップＳ１１参照）。
【００５７】
（オン認識位置変更モード時のキーボード入力処理）
さらに、オン位置変更モード時には、図８に示すフローチャートによりキーボードの入力処理を行うことができる。図８に示すフローチャートでは、ステップＳ１７ａ、Ｓ１７ｂの処理が図３に示すフローチャートに対して追加となっているので、ステップＳ１７ａ、Ｓ１７ｂの処理を主に説明する。
【００５８】
まず、いずれかのキーを押下すると（ステップＳ１５のＹＥＳ）、キーボード１は、キーに相当するキーコードを作成し、キーコードをＰＣ３に送信し、押下されたキートップが青、緑、赤以外の色、例えば白色に発光する（ステップＳ１７ａ）。これにより、キーが押下されたことをユーザーに色の変化で知らせることができる。
【００５９】
即ち、ユーザーが閾値を変更した場合には、直ちにそのキーを押下することで、その閾値でのキーの押下状態を体感できる。また、押下されたキーコードはＰＣ３にも送信されているので、ソフトウェア上(画面表示等)でもキーの押下状態を確認できる。
【００６０】
なお、キーを押下させない場合には（ステップＳ１５のＮＯ）、キーの照光色を閾値参照データの色に発光させ（ステップＳ１７ｂ）、ステップＳ１８の処理に進む。  
【００６１】
このように、実施例のキーボード閾値変更装置及びキーボードによれば、キーのオン認識位置の閾値をキーボード１の照光色で表示するので、どのキーがどの閾値(位置と値)であるかが、キーボード１を見ることで確認できる。閾値が数値(１．５ｍｍ等)や文字(高中低)でなく、色彩で表示されるので、ユーザーは閾値を認識しやすい。
【００６２】
また、キーボード１のオン認識位置の閾値をＰＣ３のプログラム３９から変更(クリック)すると、直ちにその変更された閾値を、キーボード１の照光色が変更された色の変化で表示するので、ユーザーはキーボード１の変更されたキー位置とその閾値を直ちに変更されたことを確認できる。
【００６３】
また、キーボード１のオン認識位置の閾値をＰＣ３のプログラム３９から変更すると、直ちにＰＣ３の画面に変更されたキーの照光色が変更され、さらにその色がキーボード１の照光色と同色であるので、画面表示と実物(キーボード)の間の誤認を防止できる。
【００６４】
さらに、キーボード１のオン認識位置の閾値をＰＣ３のキーボードプログラム３９から変更すると、直ちにキーボード１の押下判断部１６がその閾値にてキーの押下を判断する。ユーザーがキーを押下して、押下判断部１６によりキー押下と判断された場合、そのキーの照光色が先の色から変化するので、ユーザーがオン認識位置を体感でき、意図したものと異なれば直ぐに修正が可能となる。
【００６５】
さらに、キーボード１のオン認識位置の閾値をＰＣ３のキーボードプログラム３９から変更すると、直ちにキーボード１の押下判断部１６がその閾値にてキーの押下を判断する。ユーザーがキーを押下して、押下判断部１６によりキー押下と判断された場合、そのキーの照光色が変化し、さらに、ＰＣ３の画面にキーの照光色と同色でその色が表示されるので、ＰＣ３の画面とキーボード１との両方で、キーの押下を確認できる。
【００６６】
また、ＰＣ３のプログラム又はキーボード１により、個別に照光色を変更することもできる。
【００６７】
（他の実施例）
なお、本発明では、静電容量式キースイッチのキーボードで説明したが、静電容量式である必要はなく、アナログの入力デバイスであって閾値を設定して押下の有無(オン／オフ)を出力可能なスイッチを備えたキーボード１であればよい。例えば、感圧式、電気抵抗式、磁気検知式、超音波式、光学式等の様々なスイッチによりキーボードを構成することができる。また、キーボードプログラムは、Windows（登録商標）用でなくてもよく、ＧＵＩを備えたＯＳであれば可能である。
【００６８】
また、本実施例では、閾値は３種を選択する例で示したが、これに限定されることなく４、５種の選択でも、それ以上でも、ユーザーが色の違いを認識できれば良い。また、前述したように、入力部は、マウスに限定されず、タッチパネル又はタッチパッドであっても良い。さらに入力部は、キーボード１でも可能である。例えば、キーボードの２つの方向キー（↑ ↓）を利用して閾値を選択し、４つの方向キーを利用して画面上のキーイメージからキーを選択すれば、実施可能である。
【符号の説明】
【００６９】
１  キーボード
２  キーボード制御部
３  パーソナルコンピュータ（ＰＣ）
１０  キー群
１１  キースキャン・検出部
１２Ａ  メモリ部
１２  不揮発メモリ
１３  ランダムアクセスメモリ（ＲＡＭ）
１４  キースキャン制御部
１５  キー容量検出部
１６  押下判断部
１７  照光ＬＥＤ
１８  ＬＥＤ発光部
１９  照光発光制御部
２１，３１  通信制御部
３２  ＰＣ制御部
３３  ハードディスク
３４  メモリ部
３５  表示制御部
３６  表示部
３７  入力制御部
３８  マウス
３９  プログラム
１０３  キースイッチ部
１０５  キートップ
１０５ａ  キー（イメージ）
１０７  プランジャー
１０９  ラバー
１１１  ハウジング
１１５  スペーサ
１１７  スプリング
【図１】
2018072913.tif 000003
【図２】
2018072913.tif 000004
【図３】
2018072913.tif 000005
【図４】
2018072913.tif 000006
【図５】
2018072913.tif 000007
【図６】
2018072913.tif 000008
【図７】
2018072913.tif 000009
【図８】
2018072913.tif 000010
【図９】
2018072913.tif 000011